(57)【要約】【課題】組付け作業性を向上させること。【解決手段】ハウジング２０は、相手方コネクタとの間のコネクタ挿抜方向に沿って互いに組み付けられる第１ハウジング３０と第２ハウジング４０とを備え、第１ハウジングは、空間部３３を間に介在させてコネクタ挿抜方向に対する直交方向に沿って配置された第１端子収容体３１及び第２端子収容体３２を有し、第２ハウジングは、空間部に配置される第３端子収容体４１を有し、第１ハウジングと第２ハウジングは、第３端子収容体の端子収容口２１ａを第１端子収容体及び第２端子収容体のそれぞれの端子収容口２１ａよりも相手方コネクタに対するコネクタ抜去方向側に突出させた仮組付け位置と、第１から第３の端子収容体のそれぞれの端子収容口２１ａをコネクタ挿抜方向で同等の位置に配置させた組付け完了位置と、の間でコネクタ挿抜方向に沿って互いに相対移動させ得るものとして形成すること。【選択図】図１
2020202032.tif 000002
【特許請求の範囲】
【請求項１】
相手方コネクタの相手方端子金具に対して物理的且つ電気的に接続される端子金具と、
電線の端末に対して物理的且つ電気的に接続された前記端子金具を収容させるハウジングと、
を備え、
前記ハウジングは、前記相手方コネクタとの間のコネクタ挿抜方向に沿って互いに組み付けられる第１ハウジングと第２ハウジングとを備え、かつ、前記相手方コネクタに対するコネクタ挿入方向に沿って端子収容口から挿入された前記端子金具を収容完了位置に収容させる端子収容室を前記端子金具毎に有し、
前記第１ハウジングは、空間部を間に介在させて前記コネクタ挿抜方向に対する直交方向に沿って配置され、かつ、前記端子収容室及び前記端子収容口が形成された第１端子収容体及び第２端子収容体を有し、
前記第２ハウジングは、前記空間部に配置され、かつ、前記端子収容室及び前記端子収容口が形成された第３端子収容体を有し、
前記第１ハウジングと前記第２ハウジングは、前記第３端子収容体の前記端子収容口を前記第１端子収容体及び前記第２端子収容体のそれぞれの前記端子収容口よりも前記相手方コネクタに対するコネクタ抜去方向側に突出させた仮組付け位置と、前記第１から第３の端子収容体のそれぞれの前記端子収容口を前記コネクタ挿抜方向で同等の位置に配置させた組付け完了位置と、の間で前記コネクタ挿抜方向に沿って互いに相対移動させ得るものとして形成することを特徴としたコネクタ。
【請求項２】
前記第１から第３の端子収容体のそれぞれの前記端子収容室は、前記第１端子収容体と前記第３端子収容体と前記第２端子収容体の配列方向に沿って並べて配置されることを特徴とした請求項１に記載のコネクタ。
【請求項３】
前記第１から第３の端子収容体は、前記端子収容室として、前記第１端子収容体と前記第３端子収容体と前記第２端子収容体の配列方向に沿って並べて配置される第１端子収容室と、前記コネクタ挿抜方向と前記配列方向とに対する直交方向で前記第１端子収容室に並べて配置される第２端子収容室と、をそれぞれに有することを特徴とした請求項１に記載のコネクタ。
【請求項４】
前記第１ハウジングと前記第２ハウジングとの間には、前記仮組付け位置と前記組付け完了位置との間での相対移動を案内させるガイド機構を設けることを特徴とした請求項１，２又は３に記載のコネクタ。
【請求項５】
前記第１ハウジングと前記第２ハウジングとに対して相対移動自在に組み付けられる別部品であり、前記第１から第３の端子収容体のそれぞれの前記端子収容室における前記収容完了位置の前記端子金具の係止が不能な非係止位置と前記第１から第３の端子収容体のそれぞれの前記端子収容室における前記収容完了位置の前記端子金具の係止が可能な係止位置との間での前記第１ハウジングと前記第２ハウジングとに対する相対移動が可能な端子係止部品を備え、
前記端子係止部品は、前記係止位置のときに、前記第１から第３の端子収容体のそれぞれの前記端子収容室における前記収容完了位置の前記端子金具の前記端子収容口側に各々配置され、前記第１から第３の端子収容体に対する前記端子金具の前記端子収容口側への相対移動を係止させる端子係止部を有し、
前記第２ハウジングは、前記第１ハウジングに対する前記仮組付け位置と前記組付け完了位置との間の相対移動に連動して前記端子係止部品を押し動かす押動部を有することを特徴とした請求項１から４の内の何れか１つに記載のコネクタ。
【請求項６】
前記押動部は、前記第１ハウジングに対する前記第２ハウジングの前記仮組付け位置と前記組付け完了位置との間の相対移動に連動して、前記端子係止部品を前記非係止位置のまま前記第１ハウジングに対する第１仮保持位置と第２仮保持位置との間で前記コネクタ挿抜方向に沿って押し動かすものとして形成することを特徴とした請求項５に記載のコネクタ。
【請求項７】
前記押動部は、前記第１ハウジングに対する前記第２ハウジングの仮組付け位置と組付け完了位置との間の相対移動に連動して、前記端子係止部品を前記コネクタ挿抜方向に沿って押し動かすものとして形成し、
前記第１ハウジングと前記端子係止部品との間には、前記押動部から前記端子係止部品が受けた前記コネクタ挿抜方向の力を当該コネクタ挿抜方向の力と前記第１から第３の端子収容体の配列方向の力とに分割させる動力分割機構を設け、
前記端子係止部品は、分割された前記コネクタ挿抜方向の力と前記第１から第３の端子収容体の配列方向の力とによって、前記非係止位置と前記係止位置との間で前記第１ハウジングと前記第２ハウジングとに対して相対移動させることを特徴とした請求項５に記載のコネクタ。
【請求項８】
前記第１ハウジングと前記第２ハウジングとの間には、前記組付け完了位置で前記第２ハウジングに対する前記第１ハウジングの前記コネクタ抜去方向側への相対移動を係止させる係止機構を設け、
前記第２ハウジングは、前記相手方コネクタとの間のコネクタ嵌合位置で前記相手方コネクタに対する前記コネクタ抜去方向側への相対移動を係止させる係止突起部を有することを特徴とした請求項１から６の内の何れか１つに記載のコネクタ。
【請求項９】
電線と、
相手方コネクタの相手方端子金具に対して物理的且つ電気的に接続される端子金具と、
前記電線の端末に対して物理的且つ電気的に接続された前記端子金具を収容させるハウジングと、
を備え、
前記ハウジングは、前記相手方コネクタとの間のコネクタ挿抜方向に沿って互いに組み付けられる第１ハウジングと第２ハウジングとを備え、かつ、前記相手方コネクタに対するコネクタ挿入方向に沿って端子収容口から挿入された前記端子金具を収容完了位置に収容させる端子収容室を前記端子金具毎に有し、
前記第１ハウジングは、空間部を間に介在させて前記コネクタ挿抜方向に対する直交方向に沿って配置され、かつ、前記端子収容室及び前記端子収容口が形成された第１端子収容体及び第２端子収容体を有し、
前記第２ハウジングは、前記空間部に配置され、かつ、前記端子収容室及び前記端子収容口が形成された第３端子収容体を有し、
前記第１ハウジングと前記第２ハウジングは、前記第３端子収容体の前記端子収容口を前記第１端子収容体及び前記第２端子収容体のそれぞれの前記端子収容口よりも前記相手方コネクタに対するコネクタ抜去方向側に突出させた仮組付け位置と、前記第１から第３の端子収容体のそれぞれの前記端子収容口を前記コネクタ挿抜方向で同等の位置に配置させた組付け完了位置と、の間で前記コネクタ挿抜方向に沿って互いに相対移動させ得るものとして形成することを特徴としたコネクタ付き電線。
【発明の詳細な説明】
【技術分野】
【０００１】
本発明は、コネクタ及びコネクタ付き電線に関する。
【背景技術】
【０００２】
従来、コネクタ及びコネクタ付き電線においては、電線の端末に対して端子金具が物理的且つ電気的に接続された後、その端子金具がハウジングの端子収容口から端子収容室に収容される。そのハウジングにおいては、端子金具毎の複数の端子収容室が形成されており、それぞれの端子収容室に対して、コネクタ挿抜方向における一端の端子収容口から接続状態の端子金具及び電線の端末が挿入されていく（下記の特許文献１及び２）。また、その特許文献１のコネクタ及びコネクタ付き電線においては、端子収容室からの端子金具の抜け止めを図るべく、端子係止部で端子金具の被係止部を係止させる端子係止部品（所謂リテーナ）が設けられている。その端子係止部品は、ハウジングに組み付ける別部品であり、押し動かされながらハウジングに対して相対移動させ、これに伴い端子収容室に差し入れられた端子係止部で端子金具の被係止部を係止させる。
【先行技術文献】
【特許文献】
【０００３】
【特許文献１】特開平１１−３５４１８５号公報
【特許文献２】特開２００１−４３９２８号公報
【発明の概要】
【発明が解決しようとする課題】
【０００４】
ところで、従来のコネクタにおいては、その小型化を図るための手法の１つとして、複数の端子収容室を密集させることがある。しかしながら、このコネクタにおいては、それぞれの端子収容室を互いに近づけるほど、小型化が図れる反面、接続状態の端子金具及び電線の端末の端子収容室への挿入作業が難しくなる。このように、従来のコネクタは、組付け作業性という観点で改善の余地がある。
【０００５】
そこで、本発明は、組付け作業性の向上を図り得るコネクタ及びコネクタ付き電線を提供することを、その目的とする。
【課題を解決するための手段】
【０００６】
上記目的を達成する為、本発明に係るコネクタは、相手方コネクタの相手方端子金具に対して物理的且つ電気的に接続される端子金具と、電線の端末に対して物理的且つ電気的に接続された前記端子金具を収容させるハウジングと、を備え、前記ハウジングは、前記相手方コネクタとの間のコネクタ挿抜方向に沿って互いに組み付けられる第１ハウジングと第２ハウジングとを備え、かつ、前記相手方コネクタに対するコネクタ挿入方向に沿って端子収容口から挿入された前記端子金具を収容完了位置に収容させる端子収容室を前記端子金具毎に有し、前記第１ハウジングは、空間部を間に介在させて前記コネクタ挿抜方向に対する直交方向に沿って配置され、かつ、前記端子収容室及び前記端子収容口が形成された第１端子収容体及び第２端子収容体を有し、前記第２ハウジングは、前記空間部に配置され、かつ、前記端子収容室及び前記端子収容口が形成された第３端子収容体を有し、前記第１ハウジングと前記第２ハウジングは、前記第３端子収容体の前記端子収容口を前記第１端子収容体及び前記第２端子収容体のそれぞれの前記端子収容口よりも前記相手方コネクタに対するコネクタ抜去方向側に突出させた仮組付け位置と、前記第１から第３の端子収容体のそれぞれの前記端子収容口を前記コネクタ挿抜方向で同等の位置に配置させた組付け完了位置と、の間で前記コネクタ挿抜方向に沿って互いに相対移動させ得るものとして形成することを特徴としている。
【０００７】
ここで、前記第１から第３の端子収容体のそれぞれの前記端子収容室は、前記第１端子収容体と前記第３端子収容体と前記第２端子収容体の配列方向に沿って並べて配置されることが望ましい。
【０００８】
また、前記第１から第３の端子収容体は、前記端子収容室として、前記第１端子収容体と前記第３端子収容体と前記第２端子収容体の配列方向に沿って並べて配置される第１端子収容室と、前記コネクタ挿抜方向と前記配列方向とに対する直交方向で前記第１端子収容室に並べて配置される第２端子収容室と、をそれぞれに有することが望ましい。
【０００９】
また、前記第１ハウジングと前記第２ハウジングとの間には、前記仮組付け位置と前記組付け完了位置との間での相対移動を案内させるガイド機構を設けることが望ましい。
【００１０】
また、前記第１ハウジングと前記第２ハウジングとに対して相対移動自在に組み付けられる別部品であり、前記第１から第３の端子収容体のそれぞれの前記端子収容室における前記収容完了位置の前記端子金具の係止が不能な非係止位置と前記第１から第３の端子収容体のそれぞれの前記端子収容室における前記収容完了位置の前記端子金具の係止が可能な係止位置との間での前記第１ハウジングと前記第２ハウジングとに対する相対移動が可能な端子係止部品を備え、前記端子係止部品は、前記係止位置のときに、前記第１から第３の端子収容体のそれぞれの前記端子収容室における前記収容完了位置の前記端子金具の前記端子収容口側に各々配置され、前記第１から第３の端子収容体に対する前記端子金具の前記端子収容口側への相対移動を係止させる端子係止部を有し、前記第２ハウジングは、前記第１ハウジングに対する前記仮組付け位置と前記組付け完了位置との間の相対移動に連動して前記端子係止部品を押し動かす押動部を有することが望ましい。
【００１１】
また、前記押動部は、前記第１ハウジングに対する前記第２ハウジングの前記仮組付け位置と前記組付け完了位置との間の相対移動に連動して、前記端子係止部品を前記非係止位置のまま前記第１ハウジングに対する第１仮保持位置と第２仮保持位置との間で前記コネクタ挿抜方向に沿って押し動かすものとして形成することが望ましい。
【００１２】
また、前記押動部は、前記第１ハウジングに対する前記第２ハウジングの仮組付け位置と組付け完了位置との間の相対移動に連動して、前記端子係止部品を前記コネクタ挿抜方向に沿って押し動かすものとして形成し、前記第１ハウジングと前記端子係止部品との間には、前記押動部から前記端子係止部品が受けた前記コネクタ挿抜方向の力を当該コネクタ挿抜方向の力と前記第１から第３の端子収容体の配列方向の力とに分割させる動力分割機構を設け、前記端子係止部品は、分割された前記コネクタ挿抜方向の力と前記第１から第３の端子収容体の配列方向の力とによって、前記非係止位置と前記係止位置との間で前記第１ハウジングと前記第２ハウジングとに対して相対移動させることが望ましい。
【００１３】
また、前記第１ハウジングと前記第２ハウジングとの間には、前記組付け完了位置で前記第２ハウジングに対する前記第１ハウジングの前記コネクタ抜去方向側への相対移動を係止させる係止機構を設け、前記第２ハウジングは、前記相手方コネクタとの間のコネクタ嵌合位置で前記相手方コネクタに対する前記コネクタ抜去方向側への相対移動を係止させる係止突起部を有することが望ましい。
【００１４】
また、上記目的を達成する為、本発明に係るコネクタ付き電線は、電線と、相手方コネクタの相手方端子金具に対して物理的且つ電気的に接続される端子金具と、前記電線の端末に対して物理的且つ電気的に接続された前記端子金具を収容させるハウジングと、を備え、前記ハウジングは、前記相手方コネクタとの間のコネクタ挿抜方向に沿って互いに組み付けられる第１ハウジングと第２ハウジングとを備え、かつ、前記相手方コネクタに対するコネクタ挿入方向に沿って端子収容口から挿入された前記端子金具を収容完了位置に収容させる端子収容室を前記端子金具毎に有し、前記第１ハウジングは、空間部を間に介在させて前記コネクタ挿抜方向に対する直交方向に沿って配置され、かつ、前記端子収容室及び前記端子収容口が形成された第１端子収容体及び第２端子収容体を有し、前記第２ハウジングは、前記空間部に配置され、かつ、前記端子収容室及び前記端子収容口が形成された第３端子収容体を有し、前記第１ハウジングと前記第２ハウジングは、前記第３端子収容体の前記端子収容口を前記第１端子収容体及び前記第２端子収容体のそれぞれの前記端子収容口よりも前記相手方コネクタに対するコネクタ抜去方向側に突出させた仮組付け位置と、前記第１から第３の端子収容体のそれぞれの前記端子収容口を前記コネクタ挿抜方向で同等の位置に配置させた組付け完了位置と、の間で前記コネクタ挿抜方向に沿って互いに相対移動させ得るものとして形成することを特徴としている。
【発明の効果】
【００１５】
本発明に係るコネクタ及びコネクタ付き電線においては、仮組付け位置の第１端子収容体と第２端子収容体のそれぞれの端子収容室に接続状態の端子金具及び電線の端末を収容させることによって、そのそれぞれの端子収容室の端子収容口から電線が引き出されている。しかしながら、このコネクタ及びコネクタ付き電線においては、第１ハウジングと第２ハウジングとが仮組付け位置のときに、第１端子収容体と第２端子収容体のそれぞれの端子収容室の端子収容口に対して、第２ハウジングの第３端子収容体の端子収容口が突出している。よって、このコネクタ及びコネクタ付き電線においては、第１端子収容体と第２端子収容体から引き出されている電線に邪魔されることなく、第３端子収容体のそれぞれの端子収容室に対して、端子収容口から接続状態の端子金具及び電線の端末を挿入していくことができる。従って、このコネクタ及びコネクタ付き電線は、第１から第３の端子収容体のそれぞれの端子収容室を密集させたとしても、端子金具及び電線の端末の挿入作業性に優れたものとなっている。このように、本発明に係るコネクタ及びコネクタ付き電線は、コネクタの小型化を図りつつ、組付け作業性を向上させることができる。
【図面の簡単な説明】
【００１６】
【図１】図１は、実施形態のコネクタ及びコネクタ付き電線を示す図であり、仮組付け位置での端子金具及び電線の挿入前の状態を示す斜視図である。
【図２】図２は、実施形態のコネクタ及びコネクタ付き電線を示す図であり、仮組付け位置での端子金具及び電線の挿入前の状態を別角度から見た斜視図である。
【図３】図３は、実施形態のコネクタ及びコネクタ付き電線を示す図であり、仮組付け位置での第１ハウジングへの端子金具及び電線の収容後の状態を示す斜視図である。
【図４】図４は、実施形態のコネクタ及びコネクタ付き電線を示す図であり、仮組付け位置での第１ハウジングへの端子金具及び電線の収容後の状態を示す平面図である。
【図５】図５は、図４のＸ１−Ｘ１線断面図である。
【図６】図６は、図４のＸ２−Ｘ２線断面図である。
【図７】図７は、図４のＸ３−Ｘ３線断面図である。
【図８】図８は、実施形態のコネクタ及びコネクタ付き電線を示す図であり、仮組付け位置での第２ハウジングへの端子金具及び電線の収容後の状態を示す斜視図である。
【図９】図９は、実施形態のコネクタ及びコネクタ付き電線を示す図であり、仮組付け位置での第２ハウジングへの端子金具及び電線の収容後の状態を示す平面図である。
【図１０】図１０は、図９のＸ１−Ｘ１線断面図である。
【図１１】図１１は、図９のＸ２−Ｘ２線断面図である。
【図１２】図１２は、図９のＸ３−Ｘ３線断面図である。
【図１３】図１３は、実施形態のコネクタ及びコネクタ付き電線を示す図であり、組付け完了位置で且つ端子係止部品が非係止位置の状態を示す斜視図である。
【図１４】図１４は、実施形態のコネクタ及びコネクタ付き電線を示す図であり、組付け完了位置で且つ端子係止部品が非係止位置の状態を示す平面図である。
【図１５】図１５は、図１４のＸ１−Ｘ１線断面図である。
【図１６】図１６は、図１４のＸ２−Ｘ２線断面図である。
【図１７】図１７は、図１４のＸ３−Ｘ３線断面図である。
【図１８】図１８は、実施形態のコネクタ及びコネクタ付き電線を示す図であり、組付け完了位置で且つ端子係止部品が係止位置の状態を示す斜視図である。
【図１９】図１９は、実施形態のコネクタ及びコネクタ付き電線を示す図であり、組付け完了位置で且つ端子係止部品が係止位置の状態を示す平面図である。
【図２０】図２０は、図１９のＸ１−Ｘ１線断面図である。
【図２１】図２１は、図１９のＸ２−Ｘ２線断面図である。
【図２２】図２２は、図１９のＸ３−Ｘ３線断面図である。
【図２３】図２３は、実施形態のコネクタを示す分解斜視図である。
【図２４】図２４は、実施形態のコネクタを別角度から見た分解斜視図である。
【図２５】図２５は、実施形態のコネクタを別角度から見た分解斜視図である。
【図２６】図２６は、実施形態のコネクタを別角度から見た分解斜視図である。
【図２７】図２７は、変形例のコネクタ及びコネクタ付き電線を示す図であり、仮組付け位置での端子金具及び電線の挿入前の状態を示す斜視図である。
【図２８】図２８は、変形例のコネクタ及びコネクタ付き電線を示す図であり、仮組付け位置での端子金具及び電線の挿入前の状態を別角度から見た斜視図である。
【図２９】図２９は、変形例のコネクタ及びコネクタ付き電線を示す図であり、仮組付け位置での第１ハウジングへの端子金具及び電線の収容後の状態を示す斜視図である。
【図３０】図３０は、変形例のコネクタ及びコネクタ付き電線を示す図であり、仮組付け位置での第１ハウジングへの端子金具及び電線の収容後の状態を示す下面図である。
【図３１】図３１は、変形例のコネクタ及びコネクタ付き電線を示す図であり、仮組付け位置での第１ハウジングへの端子金具及び電線の収容後の状態を示す側面図である。
【図３２】図３２は、図３０のＸ１−Ｘ１線断面図である。
【図３３】図３３は、図３０のＸ２−Ｘ２線断面図である。
【図３４】図３４は、図３１のＸ３−Ｘ３線断面図である。
【図３５】図３５は、変形例のコネクタ及びコネクタ付き電線を示す図であり、仮組付け位置での第２ハウジングへの端子金具及び電線の収容後の状態を示す斜視図である。
【図３６】図３６は、変形例のコネクタ及びコネクタ付き電線を示す図であり、仮組付け位置での第２ハウジングへの端子金具及び電線の収容後の状態を示す下面図である。
【図３７】図３７は、変形例のコネクタ及びコネクタ付き電線を示す図であり、仮組付け位置での第２ハウジングへの端子金具及び電線の収容後の状態を示す側面図である。
【図３８】図３８は、図３６のＸ１−Ｘ１線断面図である。
【図３９】図３９は、図３６のＸ２−Ｘ２線断面図である。
【図４０】図４０は、図３７のＸ３−Ｘ３線断面図である。
【図４１】図４１は、変形例のコネクタ及びコネクタ付き電線を示す図であり、仮組付け位置から組付け完了位置への第２ハウジングの相対移動中の状態を示す斜視図である。
【図４２】図４２は、変形例のコネクタ及びコネクタ付き電線を示す図であり、仮組付け位置から組付け完了位置への第２ハウジングの相対移動中の状態を示す下面図である。
【図４３】図４３は、変形例のコネクタ及びコネクタ付き電線を示す図であり、仮組付け位置から組付け完了位置への第２ハウジングの相対移動中の状態を示す側面図である。
【図４４】図４４は、図４３のＸ３−Ｘ３線断面図である。
【図４５】図４５は、変形例のコネクタ及びコネクタ付き電線を示す図であり、組付け完了位置で且つ端子係止部品が係止位置の状態を示す斜視図である。
【図４６】図４６は、変形例のコネクタ及びコネクタ付き電線を示す図であり、組付け完了位置で且つ端子係止部品が係止位置の状態を示す下面図である。
【図４７】図４７は、変形例のコネクタ及びコネクタ付き電線を示す図であり、組付け完了位置で且つ端子係止部品が係止位置の状態を示す側面図である。
【図４８】図４８は、図４６のＸ１−Ｘ１線断面図である。
【図４９】図４９は、図４６のＸ２−Ｘ２線断面図である。
【図５０】図５０は、図４７のＸ３−Ｘ３線断面図である。
【図５１】図５１は、変形例のコネクタを示す分解斜視図である。
【図５２】図５２は、変形例のコネクタを別角度から見た分解斜視図である。
【図５３】図５３は、変形例のコネクタを別角度から見た分解斜視図である。
【図５４】図５４は、変形例のコネクタを別角度から見た分解斜視図である。
【図５５】図５５は、図３４及び図４０のＡ部拡大図である。
【図５６】図５６は、動力分割機構の第１傾斜面について説明する第１ハウジングの斜視図である。
【図５７】図５７は、動力分割機構の第２傾斜面について説明する端子係止部品の斜視図である。
【発明を実施するための形態】
【００１７】
以下に、本発明に係るコネクタ及びコネクタ付き電線の実施形態を図面に基づいて詳細に説明する。尚、この実施形態によりこの発明が限定されるものではない。
【００１８】
［実施形態］
本発明に係るコネクタ及びコネクタ付き電線の実施形態の１つを図１から図２６に基づいて説明する。
【００１９】
図１から図２２の符号１は、本実施形態のコネクタを示す。また、図１から図２２の符号２は、電線Ｗｅの端末にコネクタ１が取り付けられた本実施形態のコネクタ付き電線を示す。
【００２０】
コネクタ１は、端子金具１０とハウジング２０を備える（図１から図７）。コネクタ付き電線２は、そのコネクタ１を成す端子金具１０とハウジング２０の他に電線Ｗｅを備えるものであり、電線Ｗｅの端末に対して物理的且つ電気的に接続された端子金具１０がハウジング２０に収容され且つ保持されている。
【００２１】
端子金具１０は、金属等の導電性材料で成形される。この端子金具１０は、相手方コネクタの相手方端子金具（図示略）に対して物理的且つ電気的に接続される端子接続部１１と、電線Ｗｅの端末に対して物理的且つ電気的に接続される電線接続部１２と、を有する（図１から図７）。
【００２２】
端子接続部１１と相手方端子金具の相手方端子接続部（図示略）は、その内の一方が雌端子形状に形成され、その内の他方が雄端子形状に形成される。この例示では、端子接続部１１が角筒状の雌端子形状に形成され、相手方端子接続部が端子接続部１１の内方に嵌入される雄端子形状に形成されている。端子接続部１１においては、その筒軸方向における一端の開口から筒軸方向に沿って相手方端子接続部が挿入される。よって、ここでは、その端子接続部１１の筒軸方向が、端子接続部１１と相手方端子接続部との間の端子挿抜方向（端子挿入方向、端子抜去方向）となり、かつ、コネクタ１と相手方コネクタとの間のコネクタ挿抜方向（コネクタ挿入方向、コネクタ抜去方向）となる。尚、以下において、単にコネクタ挿入方向と記した場合、それは、相手方コネクタに対するコネクタ１の挿入方向のことをいう。また、単にコネクタ抜去方向と記した場合、それは、相手方コネクタに対するコネクタ１の抜去方向のことをいう。
【００２３】
電線接続部１２は、端子接続部１１における筒軸方向の他端側に配置され、物理的且つ電気的に接続している電線Ｗｅを筒軸方向に沿って引き出させる。例えば、この電線接続部１２は、電線Ｗｅの端末の芯線Ｗｅ１（図１及び図２）に対して加締め圧着させることによって、この電線Ｗｅの端末に対して物理的且つ電気的に接続される。
【００２４】
ハウジング２０は、合成樹脂等の絶縁性材料で成形される。このハウジング２０は、電線Ｗｅの端末に対して物理的且つ電気的に接続された端子金具１０を収容させるものである。このハウジング２０は、端子金具１０を収容完了位置に収容させる端子収容室２１を端子金具１０毎に有する（図１から図３、図５、図６、図８、図１０、図１１、図１３、図１５、図１６、図１８、図２０、図２１及び図２３から図２６）。
【００２５】
端子収容室２１は、コネクタ挿抜方向における一端の開口であり、接続状態の端子金具１０及び電線Ｗｅの端末を室内の収容完了位置まで収容させる際に用いる端子収容口２１ａを有する（図１から図３、図５、図６、図８、図１０、図１１、図１３、図１５、図１６、図１８、図２０、図２１、図２３及び図２４）。この端子収容室２１においては、相手方コネクタに対するコネクタ挿入方向に沿って端子収容口２１ａから端子金具１０が挿入され、その挿入された端子金具１０が収容完了位置に収容される。端子収容口２１ａは、端末が端子金具１０の電線接続部１２に物理的且つ電気的に接続された電線Ｗｅを端子収容室２１の外に引き出させる電線引出口としても利用される。
【００２６】
更に、端子収容室２１は、コネクタ挿抜方向における他端の開口であり、室内の端子金具１０の接続対象となる相手方端子金具を室内に挿入させる際に用いる端子挿入口２１ｂを有する（図５、図６、図１０、図１１、図１５、図１６、図２０、図２１、図２５及び図２６）。この端子収容室２１においては、その端子挿入口２１ｂから相手方端子金具の相手方端子接続部が挿入され、その相手方端子接続部が収容完了位置の端子金具１０の端子接続部１１に嵌合接続される。
【００２７】
このハウジング２０は、その端子収容室２１として、コネクタ挿抜方向に対する直交方向に沿って配列された複数の第１端子収容室２１Ａと複数の第２端子収容室２１Ｂとを有する（図１から図３、図５、図６、図８、図１０、図１１、図１３、図１５、図１６、図１８、図２０、図２１及び図２３から図２６）。その第１端子収容室２１Ａと第２端子収容室２１Ｂは、自らの配列方向とコネクタ挿抜方向とに対する直交方向に並べて配置される。この例示のハウジング２０においては、その対になる第１端子収容室２１Ａと第２端子収容室２１Ｂの組み合わせが６組並べられている。
【００２８】
このハウジング２０は、相手方コネクタとの間のコネクタ挿抜方向に沿って互いに組み付けられる第１ハウジング３０と第２ハウジング４０とを備える（図１から図２２）。
【００２９】
第１ハウジング３０は、接続状態の端子金具１０及び電線Ｗｅの端末が収容される第１端子収容体３１と第２端子収容体３２とを有する（図１から図４、図８、図９、図１３、図１４、図１８、図１９及び図２３から図２６）。その第１端子収容体３１と第２端子収容体３２は、空間部３３を間に介在させてコネクタ挿抜方向に対する直交方向に沿って配置される（図１から図４、図８、図９、図１３、図１４、図１８、図１９及び図２３から図２６）。そして、この第１端子収容体３１と第２端子収容体３２は、それぞれに端子収容室２１と端子収容口２１ａと端子挿入口２１ｂとが形成されている。この第１端子収容体３１と第２端子収容体３２は、それぞれに第１端子収容室２１Ａと第２端子収容室２１Ｂを有しており、その第１端子収容室２１Ａの配列方向（第２端子収容室２１Ｂの配列方向）で空間部３３を間に置いて配置されている。この例示の第１端子収容体３１と第２端子収容体３２は、対になる第１端子収容室２１Ａと第２端子収容室２１Ｂの組み合わせを２組ずつ有している。
【００３０】
この第１ハウジング３０においては、第１端子収容体３１と第２端子収容体３２とが方体状に形成され、かつ、その間で空間部３３が方体状に形成されている。第１端子収容体３１と第２端子収容体３２には、コネクタ挿抜方向での同等の位置に、後述する端子係止部品５０の端子係止体５２を収容させる切欠き３４が形成されている（図５、図１０、図１５、図２０及び図２３から図２６）。それぞれの切欠き３４は、第１端子収容室２１Ａ側の壁部を残すべく、第２端子収容室２１Ｂ側から第１端子収容室２１Ａ側に向けて切り欠かれた部位であり、全ての端子収容室２１（第１端子収容室２１Ａ、第２端子収容室２１Ｂ）に連通させる。また、それぞれの切欠き３４は、後述する非係止位置における第１仮保持位置と第２仮保持位置との間での第１ハウジング３０に対する端子係止体５２の相対移動と、その第２仮保持位置における非係止位置と係止位置との間での第１ハウジング３０に対する端子係止体５２の相対移動と、を行い得る大きさのものとして形成される。
【００３１】
第２ハウジング４０は、接続状態の端子金具１０及び電線Ｗｅの端末が収容される第３端子収容体４１を有する（図１から図１４、図１６から図１９及び図２１から図２６）。その第３端子収容体４１は、空間部３３に配置される。そして、この第３端子収容体４１は、端子収容室２１と端子収容口２１ａと端子挿入口２１ｂとが形成されている。この第３端子収容体４１は、第１端子収容室２１Ａと第２端子収容室２１Ｂを有している。この例示の第３端子収容体４１は、対になる第１端子収容室２１Ａと第２端子収容室２１Ｂの組み合わせを２組有している。
【００３２】
第３端子収容体４１は、方体状に形成され、第１端子収容体３１と第２端子収容体３２とに壁部同士を隣接させて空間部３３に配置される。この第３端子収容体４１には、端子係止体５２を収容させる切欠き４２が形成されている（図６、図７、図１１、図１２、図１６、図１７及び図２１から図２６）。その切欠き４２は、コネクタ挿抜方向で第１ハウジング３０のそれぞれの切欠き３４と同等の位置に設ける。この切欠き４２は、第１端子収容室２１Ａ側の壁部を残すべく、第２端子収容室２１Ｂ側から第１端子収容室２１Ａ側に向けて切り欠かれた部位であり、全ての端子収容室２１（第１端子収容室２１Ａ、第２端子収容室２１Ｂ）に連通させる。また、この切欠き４２は、それぞれの切欠き３４に収容されている端子係止体５２を収容させ、その収容状態のまま、第１ハウジング３０に対する第２ハウジング４０の後述する仮組付け位置と後述する組付け完了位置との間で、端子係止体５２を第２ハウジング４０と共に第１ハウジング３０に対してコネクタ挿抜方向に相対移動させるものとして形成される。更に、この切欠き４２は、その第１ハウジング３０に対する第２ハウジング４０の組付け完了位置にて、第２仮保持位置における非係止位置と係止位置との間での第１ハウジング３０と第２ハウジング４０に対する端子係止体５２の相対移動を行い得る大きさのものとして形成される。
【００３３】
このハウジング２０において、第１から第３の端子収容体３１，３２，４１のそれぞれの端子収容室２１（第１端子収容室２１Ａ、第２端子収容室２１Ｂ）は、第１端子収容体３１と第３端子収容体４１と第２端子収容体３２の配列方向に沿って並べて配置されている。この例示の第１から第３の端子収容体３１，３２，４１は、端子収容室２１として、第１端子収容体３１と第３端子収容体４１と第２端子収容体３２の配列方向に沿って並べて配置される第１端子収容室２１Ａと、その配列方向とコネクタ挿抜方向とに対する直交方向で第１端子収容室２１Ａに並べて配置される第２端子収容室２１Ｂと、をそれぞれに有している。ここでは、先に示したように、第１から第３の端子収容体３１，３２，４１がそれぞれに第１端子収容室２１Ａと第２端子収容室２１Ｂとを２つずつ有している。
【００３４】
第１ハウジング３０と第２ハウジング４０は、互いの仮組付け位置と組付け完了位置との間でコネクタ挿抜方向に沿って互いに相対移動させ得るものとして形成する。ここでは、仮組付け位置から組付け完了位置へと相対移動させる際に、第１ハウジング３０に対して第２ハウジング４０をコネクタ挿入方向に相対移動させ、組付け完了位置から仮組付け位置へと相対移動させる際に、第１ハウジング３０に対して第２ハウジング４０をコネクタ抜去方向に相対移動させる。
【００３５】
仮組付け位置とは、第１ハウジング３０と第２ハウジング４０のコネクタ挿抜方向での相対的な位置の内、第３端子収容体４１の端子収容口２１ａを第１端子収容体３１及び第２端子収容体３２のそれぞれの端子収容口２１ａよりも相手方コネクタに対するコネクタ抜去方向側に突出させている位置のことである。その第１端子収容体３１及び第２端子収容体３２のそれぞれの端子収容口２１ａに対する第３端子収容体４１の端子収容口２１ａの突出量は、第１端子収容体３１と第２端子収容体３２のそれぞれの端子収容口２１ａから電線Ｗｅが引き出されているときに、第３端子収容体４１の端子収容口２１ａからの端子金具１０及び電線Ｗｅの端末の挿入を阻害しない大きさとする。例えば、ここでは、第１端子収容体３１と第２端子収容体３２のそれぞれの端子収容口２１ａから引き出された電線Ｗｅを最も端子収容口２１ａ側で屈曲させた際に、その端子収容口２１ａ側での屈曲開始点よりも第３端子収容体４１の端子収容口２１ａを相手方コネクタに対するコネクタ抜去方向側に突出させる。
【００３６】
一方、組付け完了位置とは、第１ハウジング３０と第２ハウジング４０のコネクタ挿抜方向での相対的な位置の内、第１から第３の端子収容体３１，３２，４１のそれぞれの端子収容口２１ａをコネクタ挿抜方向で同等の位置に配置させている位置のことである。この組付け完了位置では、第１から第３の端子収容体３１，３２，４１のそれぞれの端子挿入口２１ｂについても、コネクタ挿抜方向で同等の位置に配置される。
【００３７】
第１ハウジング３０と第２ハウジング４０との間には、その仮組付け位置と組付け完了位置との間での相対移動を案内させるガイド機構２２を設ける（図１、図３、図４、図８、図９、図１３、図１４、図１８、図１９及び図２３から図２６）。そのガイド機構２２は、第１ハウジング３０に設けた第１ガイド部２２ａと、第２ハウジング４０に設けた第２ガイド部２２ｂと、を備え、この第１ガイド部２２ａと第２ガイド部２２ｂとをコネクタ挿抜方向で互いに案内させる。この例示のガイド機構２２は、第１端子収容体３１と第３端子収容体４１との間及び第２端子収容体３２と第３端子収容体４１との間に各々設ける。第１端子収容体３１と第２端子収容体３２のそれぞれの第１ガイド部２２ａは、空間部３３側に突出させ、かつ、コネクタ挿抜方向に延在させた片体状のガイド突起部として形成されている。一方、第３端子収容体４１のそれぞれの第２ガイド部２２ｂは、第１ガイド部２２ａを挿入させるべく凹ませ、かつ、コネクタ挿抜方向に延在させたガイド溝部として形成されている。
【００３８】
更に、第１ハウジング３０と第２ハウジング４０との間には、組付け完了位置で第２ハウジング４０に対する第１ハウジング３０のコネクタ抜去方向側への相対移動を係止させる係止機構２３を設ける（図１、図３、図４、図８、図９、図１３、図１４、図１８、図１９及び図２３から図２５）。その係止機構２３は、第１ハウジング３０に設けた第１係止部２３ａと、第２ハウジング４０に設けた第２係止部２３ｂと、を備える。この係止機構２３は、組付け完了位置のままで、第２係止部２３ｂを第１係止部２３ａよりもコネクタ抜去方向側で対向配置させ、かつ、第１係止部２３ａを第２係止部２３ｂに係止させることによって、組付け完了位置での第２ハウジング４０に対する第１ハウジング３０のコネクタ抜去方向側への相対移動を係止させる。この例示では、ガイド突起部としての第１ガイド部２２ａにおけるコネクタ抜去方向側の端部を第１係止部２３ａとして利用する。また、この例示では、ガイド溝部としての第２ガイド部２２ｂにおけるコネクタ抜去方向側の端面を成す係止壁部を第３端子収容体４１に設け、その第３端子収容体４１の係止壁部を第２係止部２３ｂとして利用する。
【００３９】
ここで、第２ハウジング４０は、相手方コネクタとの間のコネクタ嵌合位置で相手方コネクタに対するコネクタ抜去方向側への相対移動を係止させる係止突起部４３を有する（図１及び図３から図２６）。その係止突起部４３は、コネクタ１と相手方コネクタとの間を互いに電気接続可能なコネクタ嵌合位置で保たせるためのものである。
【００４０】
コネクタ１においては、相手方コネクタに対してコネクタ嵌合されているときに、その係止突起部４３によって相手方コネクタに対する第２ハウジング４０のコネクタ抜去方向側への相対移動が抑制される。更に、このコネクタ１においては、相手方コネクタに対してコネクタ嵌合されているときに、係止機構２３によって第２ハウジング４０に対する第１ハウジング３０のコネクタ抜去方向側への相対移動が係止させられるので、相手方コネクタに対する第１ハウジング３０のコネクタ抜去方向側への相対移動が抑制される。つまり、本実施形態のコネクタ１及びコネクタ付き電線２においては、係止機構２３と係止突起部４３によって、相手方コネクタに対するコネクタ嵌合状態を保たせることができる。
【００４１】
ところで、本実施形態のコネクタ１は、第１ハウジング３０と第２ハウジング４０とに対して相対移動自在に組み付けられる別部品であり、非係止位置と係止位置との間での第１ハウジング３０と第２ハウジング４０とに対する相対移動が可能な端子係止部品５０を備える（図１から図２６）。その端子係止部品５０は、第１ハウジング３０と第２ハウジング４０の端子収容室２１における収容完了位置の端子金具１０を係止し、そのそれぞれの端子金具１０の第１ハウジング３０と第２ハウジング４０とに対する相対移動を抑止させることによって、それぞれの端子金具１０を端子収容室２１の収容完了位置で保持させる所謂リテーナである。非係止位置とは、第１ハウジング３０と第２ハウジング４０とに対する端子係止部品５０の相対的な位置の内、その端子係止部品５０による収容完了位置の端子金具１０の係止が不能になっている位置のことである。端子係止部品５０が非係止位置のときには、第１から第３の端子収容体３１，３２，４１のそれぞれの端子収容室２１にて、収容完了位置の端子金具１０の係止が不能になっている。一方、係止位置とは、第１ハウジング３０と第２ハウジング４０とに対する端子係止部品５０の相対的な位置の内、その端子係止部品５０による収容完了位置の端子金具１０の係止が可能になっている位置のことである。端子係止部品５０が係止位置のときには、第１から第３の端子収容体３１，３２，４１のそれぞれの端子収容室２１にて、収容完了位置の端子金具１０の係止が可能になっている。
【００４２】
端子係止部品５０は、係止位置のときに、第１から第３の端子収容体３１，３２，４１のそれぞれの端子収容室２１における収容完了位置の端子金具１０の端子収容口２１ａ側に各々配置され、第１から第３の端子収容体３１，３２，４１に対する端子金具１０の端子収容口２１ａ側への相対移動を係止させる端子係止部５１を有する（図５、図６、図１０、図１１、図１５、図１６、図２０、図２１、図２３、図２５及び図２６）。この端子係止部品５０には、第１から第３の端子収容体３１，３２，４１のそれぞれの端子収容室２１毎の端子係止部５１を有する端子係止体５２が設けられている（図５、図６、図１０、図１１、図１５、図１６、図２０、図２１及び図２３から図２６）。端子金具１０は、その端子係止部５１に係止させる被係止部１３を有している（図１から図３、図５、図６、図１０、図１１、図１５、図１６、図２０及び図２１）。第１から第３の端子収容体３１，３２，４１のそれぞれの端子収容室２１においては、端子係止部品５０が非係止位置のときに、室内に端子係止部５１を入り込ませないので、端子金具１０を端子収容口２１ａから室内の収容完了位置まで挿入させることができ、かつ、その収容完了位置の端子金具１０を端子収容口２１ａから引き抜くことができる。また、第１から第３の端子収容体３１，３２，４１のそれぞれの端子収容室２１においては、端子係止部品５０が係止位置のときに、室内に端子係止部５１を入り込ませ、この端子係止部５１を被係止部１３の端子収容口２１ａ側に対向配置させるので、収容完了位置の端子金具１０を端子収容口２１ａから引き抜くことができない。
【００４３】
この端子係止部品５０と第１ハウジング３０との間には、端子係止部品５０を第１ハウジング３０に保持させる保持機構２４が設けられる（図２３から図２６）。その保持機構２４は、端子係止部品５０を非係止位置で第１ハウジング３０に保持させ、かつ、端子係止部品５０を係止位置で第１ハウジング３０に保持させる。そこで、端子係止部品５０は、第１ハウジング３０に保持させるための被保持体５３を有する（図１から図３及び図２３から図２６）。その被保持体５３は、第１から第３の端子収容体３１，３２，４１の配列方向で、端子係止体５２の両端に設ける。この被保持体５３は、第１から第３の端子収容体３１，３２，４１の配列方向に対する直交平面を有する平板状のものとして形成されている。それぞれの被保持体５３は、周縁側をその直交平面に沿って端子係止体５２の両端よりも突出させており、その突出部分で且つ第１ハウジング３０に対する対向壁面に被保持部５３ａを有する（図２３から図２６）。第１ハウジング３０は、その被保持部５３ａに係合して、端子係止部品５０を非係止位置で保持する第１保持部３５ａと、その被保持部５３ａに係合して、端子係止部品５０を係止位置で保持する第２保持部３５ｂと、を有する（図２４及び図２６）。その第１保持部３５ａと第２保持部３５ｂは、第１から第３の端子収容体３１，３２，４１の配列方向で、第１ハウジング３０の両端に設ける。この例示では、第１端子収容体３１と第２端子収容体３２とに第１保持部３５ａと第２保持部３５ｂを各々設けている。
【００４４】
この保持機構２４においては、例えば、被保持部５３ａと第１及び第２の保持部３５ａ，３５ｂの内の一方を溝部として形成し、その内の他方を溝部に挿入される突起部として形成する。この例示では、被保持部５３ａをコネクタ挿抜方向に延在させた溝部として形成し、第１保持部３５ａと第２保持部３５ｂをコネクタ挿抜方向に延在させた突起部として形成している。
【００４５】
ここで、この例示の端子係止部品５０は、非係止位置のまま第１ハウジング３０に対してコネクタ挿抜方向に相対移動させ、その非係止位置のままの所定位置で第１ハウジング３０に対してコネクタ挿抜方向と第１から第３の端子収容体３１，３２，４１の配列方向とに対する直交方向に相対移動させることによって、非係止位置から係止位置に移動させる。
【００４６】
よって、係合状態の被保持部５３ａと第１保持部３５ａは、端子係止部品５０を非係止位置のまま第１ハウジング３０に対してコネクタ挿抜方向に相対移動させるガイド機構の機能も兼ねている。この例示の被保持部５３ａと第１保持部３５ａは、端子係止部品５０を非係止位置のまま第１ハウジング３０に対する第１仮保持位置と第２仮保持位置との間でコネクタ挿抜方向に相対移動させる。第１仮保持位置とは、非係止位置での第１ハウジング３０に対する端子係止部品５０の仮保持位置の内、第１ハウジング３０と第２ハウジング４０とが仮組付け位置となっているときの仮保持位置のことである。また、第２仮保持位置とは、非係止位置での第１ハウジング３０に対する端子係止部品５０の仮保持位置の内、第１ハウジング３０と第２ハウジング４０とが組付け完了位置となっているときの仮保持位置のことである。
【００４７】
このコネクタ１においては、第１ハウジング３０に対する第２ハウジング４０の仮組付け位置と組付け完了位置との間の相対移動に連動して、端子係止部品５０を押し動かす。よって、第２ハウジング４０は、第１ハウジング３０に対する仮組付け位置と組付け完了位置との間の相対移動に連動して端子係止部品５０を押し動かす押動部４４を有する（図５、図６、図１０、図１１、図１５、図１６、図２０、図２１及び図２３から図２６）。ここでは、第１ハウジング３０に対する第２ハウジング４０の仮組付け位置と組付け完了位置との間の相対移動に連動して、端子係止部品５０を非係止位置のまま第１ハウジング３０に対する第１仮保持位置と第２仮保持位置との間でコネクタ挿抜方向に沿って押し動かす。そこで、押動部４４は、第１ハウジング３０に対する第２ハウジング４０の仮組付け位置と組付け完了位置との間の相対移動に連動して、端子係止部品５０を非係止位置のまま第１ハウジング３０に対する第１仮保持位置と第２仮保持位置との間でコネクタ挿抜方向に沿って押し動かすものとして形成する。その押動部４４としては、端子係止部品５０を非係止位置のまま第１仮保持位置から第２仮保持位置へと押し動かす第１押動部４４ａと、端子係止部品５０を非係止位置のまま第２仮保持位置から第１仮保持位置へと押し動かす第２押動部４４ｂと、が設けられている。
【００４８】
このコネクタ１においては、端子係止部品５０を押し動かすために、この第２ハウジング４０の切欠き４２と端子係止部品５０の端子係止体５２とを利用する。例えば、第２ハウジング４０においては、第１ハウジング３０に対してコネクタ挿抜方向における一方に向けて相対移動し始めた際に、切欠き４２を成すコネクタ挿抜方向における他方の壁部を相対移動の開始と同時に端子係止体５２に当接させる。そして、この第２ハウジング４０においては、第１ハウジング３０に対してコネクタ挿抜方向における他方に向けて相対移動し始めた際に、切欠き４２を成すコネクタ挿抜方向における一方の壁部を相対移動の開始と同時に端子係止体５２に当接させる。換言するならば、この第２ハウジング４０においては、その切欠き４２を成すコネクタ挿抜方向における双方の壁部で端子係止体５２を挟持させる。よって、ここでは、第２ハウジング４０における切欠き４２を成すコネクタ挿抜方向の他方の壁部を第１押動部４４ａとして利用し、第２ハウジング４０における切欠き４２を成すコネクタ挿抜方向の一方の壁部を第２押動部４４ｂとして利用する。
【００４９】
第２仮保持位置の端子係止部品５０は、第２端子収容室２１Ｂ側から第１端子収容室２１Ａ側へと押し動かされることによって、非係止位置から係止位置に移動する。よって、第２保持部３５ｂは、端子係止部品５０が係止位置へと移動した際に、被保持部５３ａに挿入させるものとして形成される。被保持体５３は、被保持部５３ａの係合対象を第１保持部３５ａから第２保持部３５ｂに移り変わらせるべく、可撓性を持たせて、直交平面に対する交差方向に弾性変形させる。
【００５０】
以上示したように、本実施形態のコネクタ１及びコネクタ付き電線２においては、第１ハウジング３０と第２ハウジング４０とを仮組付け位置と組付け完了位置との間で互いに相対移動させることができる。例えば、このコネクタ１及びコネクタ付き電線２においては、第１ハウジング３０と第２ハウジング４０とを仮組付け位置に組み付けた後、その仮組付け位置の第１ハウジング３０と第２ハウジング４０に対して端子係止部品５０を組み付ける。このコネクタ１及びコネクタ付き電線２においては、最初に、その第１ハウジング３０における第１端子収容体３１と第２端子収容体３２のそれぞれの端子収容室２１に接続状態の端子金具１０及び電線Ｗｅの端末を収容させることが望ましい。このコネクタ１及びコネクタ付き電線２においては、第１端子収容体３１と第２端子収容体３２のそれぞれの端子収容室２１の端子収容口２１ａから電線Ｗｅが引き出されている（図３から図７）。しかしながら、このコネクタ１及びコネクタ付き電線２においては、第１ハウジング３０と第２ハウジング４０とが仮組付け位置のときに、第１端子収容体３１と第２端子収容体３２のそれぞれの端子収容室２１の端子収容口２１ａに対して、第２ハウジング４０の第３端子収容体４１の端子収容口２１ａが突出している。よって、このコネクタ１及びコネクタ付き電線２においては、第１端子収容体３１と第２端子収容体３２から引き出されている電線Ｗｅに邪魔されることなく、第３端子収容体４１のそれぞれの端子収容室２１に対して、端子収容口２１ａから接続状態の端子金具１０及び電線Ｗｅの端末を挿入していくことができる（図８から図１２）。従って、このコネクタ１及びコネクタ付き電線２は、第１から第３の端子収容体３１，３２，４１のそれぞれの端子収容室２１を密集させたとしても、端子金具１０及び電線Ｗｅの端末の挿入作業性に優れたものとなっている。その挿入作業を行うに際しては、第１端子収容体３１と第２端子収容体３２から引き出されている電線Ｗｅを第３端子収容体４１のそれぞれの端子収容口２１ａから引き離すように屈曲させることによって、第３端子収容体４１のそれぞれの端子収容室２１に対する端子金具１０及び電線Ｗｅの端末の挿入作業性を高めることが望ましい。このように、このコネクタ１及びコネクタ付き電線２は、コネクタの小型化を図りつつ、組付け作業性を向上させることができる。
【００５１】
このコネクタ１及びコネクタ付き電線２においては、第３端子収容体４１の端子収容室２１への端子金具１０及び電線Ｗｅの端末の収容作業を終えた後（図８から図１２）、第１ハウジング３０に対して第２ハウジング４０を仮組付け位置から組付け完了位置まで相対移動させる（図１３から図１７）。その際、このコネクタ１及びコネクタ付き電線２においては、その第２ハウジング４０の相対移動に連動して、この第２ハウジング４０の押動部４４（第１押動部４４ａ）が端子係止部品５０を非係止位置のまま第１仮保持位置から第２仮保持位置へと押し動かすことができる。よって、このコネクタ１及びコネクタ付き電線２は、この点からも、組付け作業性を向上させることができる。
【００５２】
このコネクタ１及びコネクタ付き電線２においては、第２仮保持位置での非係止位置の端子係止部品５０を係止位置まで例えば作業者が押し動かすことによって、組付けが完了する（図１８から図２２）。
【００５３】
［変形例］
図２７から図５０の符号１０１は、本変形例のコネクタを示す。また、図２７から図５０の符号１０２は、電線Ｗｅの端末にコネクタ１０１が取り付けられた本変形例のコネクタ付き電線を示す。
【００５４】
本変形例のコネクタ１０１は、実施形態と同じ端子金具１０を備える（図２７から図３４）。そして、このコネクタ１０１は、その端子金具１０が収容されるハウジング１２０を備える（図２７から図５０）。コネクタ付き電線１０２は、そのコネクタ１０１を成す端子金具１０とハウジング１２０の他に電線Ｗｅを備えるものであり、電線Ｗｅの端末に対して物理的且つ電気的に接続された端子金具１０がハウジング１２０に収容され且つ保持されている。
【００５５】
ハウジング１２０は、合成樹脂等の絶縁性材料で成形される。このハウジング１２０は、電線Ｗｅの端末に対して物理的且つ電気的に接続された端子金具１０を収容させるものである。このハウジング１２０は、端子金具１０を収容完了位置に収容させる端子収容室１２１を端子金具１０毎に有する（図２７から図２９、図３２から図３５、図３８から図４１、図４４、図４５及び図４８から図５４）。
【００５６】
端子収容室１２１は、実施形態の端子収容室２１と同様の端子収容口１２１ａを有する（図２７から図２９、図３２から図３５、図３８から図４１、図４４、図４５、図４９、図５１及び図５２）。よって、この端子収容室１２１においては、相手方コネクタに対するコネクタ挿入方向に沿って端子収容口１２１ａから端子金具１０が挿入され、その挿入された端子金具１０が収容完了位置に収容される。そして、端子収容口１２１ａは、端末が端子金具１０の電線接続部１２に物理的且つ電気的に接続された電線Ｗｅを端子収容室１２１の外に引き出させる電線引出口としても利用される。
【００５７】
更に、端子収容室１２１は、実施形態の端子収容室２１と同様の端子挿入口１２１ｂを有する（図３２、図３３、図３８、図３９、図４８、図４９、図５３及び図５４）。よって、この端子収容室１２１においては、その端子挿入口１２１ｂから相手方端子金具の相手方端子接続部が挿入され、その相手方端子接続部が収容完了位置の端子金具１０の端子接続部１１に嵌合接続される。
【００５８】
このハウジング１２０は、その端子収容室１２１として、コネクタ挿抜方向に対する直交方向に沿って配列された複数の第１端子収容室１２１Ａと複数の第２端子収容室１２１Ｂとを有する（図２７から図２９、図３２、図３３、図３５、図３８、図３９、図４１、図４５、図４８、図４９及び図５１から図５４）。その第１端子収容室１２１Ａと第２端子収容室１２１Ｂは、自らの配列方向とコネクタ挿抜方向とに対する直交方向に並べて配置される。この例示のハウジング１２０においては、その対になる第１端子収容室１２１Ａと第２端子収容室１２１Ｂの組み合わせが６組並べられている。
【００５９】
このハウジング１２０は、相手方コネクタとの間のコネクタ挿抜方向に沿って互いに組み付けられる第１ハウジング１３０と第２ハウジング１４０とを備える（図２７から図５４）。
【００６０】
第１ハウジング１３０は、実施形態の第１ハウジング３０と同様の第１端子収容体１３１と第２端子収容体１３２と空間部１３３とを有する（図２７から図３０、図３４から図３６、図４０から図４２、図４４から図４６及び図５０から図５４）。よって、その第１端子収容体１３１と空間部１３３と第２端子収容体１３２は、その順番でコネクタ挿抜方向に対する直交方向に沿って配置されている。この例示の第１端子収容体１３１と第２端子収容体１３２は、それぞれに第１端子収容室１２１Ａと第２端子収容室１２１Ｂを有しており、その第１端子収容室１２１Ａの配列方向（第２端子収容室１２１Ｂの配列方向）で空間部１３３を間に置いて配置されている。この例示の第１端子収容体１３１と第２端子収容体１３２は、対になる第１端子収容室１２１Ａと第２端子収容室１２１Ｂの組み合わせを２組ずつ有している。
【００６１】
この第１ハウジング１３０においては、第１端子収容体１３１と第２端子収容体１３２とが方体状に形成され、かつ、その間で空間部１３３が方体状に形成されている。第１端子収容体１３１と第２端子収容体１３２には、コネクタ挿抜方向での同等の位置に、後述する端子係止部品１５０の端子係止体１５２を収容させる切欠き１３４が形成されている（図２９、図３０、図３２、図３４から図３８、図４０から図４２、図４４から図４６、図５１、図５２及び図５４）。それぞれの切欠き１３４は、第１端子収容室１２１Ａ側の壁部を残すべく、第２端子収容室１２１Ｂ側から第１端子収容室１２１Ａ側に向けて切り欠かれた部位であり、全ての端子収容室１２１（第１端子収容室１２１Ａ、第２端子収容室１２１Ｂ）に連通させる。また、それぞれの切欠き１３４は、後述する非係止位置と係止位置との間での第１ハウジング１３０に対する端子係止体１５２の相対移動を行い得る大きさのものとして形成される。
【００６２】
第２ハウジング１４０は、実施形態の第２ハウジング４０と同様の第３端子収容体１４１を有する（図２７から図５４）。よって、その第３端子収容体１４１は、空間部１３３に配置される。そして、この例示の第３端子収容体１４１は、対になる第１端子収容室１２１Ａと第２端子収容室１２１Ｂの組み合わせを２組有している。
【００６３】
第３端子収容体１４１は、方体状に形成され、第１端子収容体１３１と第２端子収容体１３２とに壁部同士を隣接させて空間部１３３に配置される。この第３端子収容体１４１には、端子係止体１５２を収容させる切欠き１４２が形成されている（図２９から図４６及び図５１から図５４）。その切欠き１４２は、コネクタ挿抜方向で第１ハウジング１３０のそれぞれの切欠き１３４と同等の位置に設ける。この切欠き１４２は、第１端子収容室１２１Ａ側の壁部を残すべく、第２端子収容室１２１Ｂ側から第１端子収容室１２１Ａ側に向けて切り欠かれた部位であり、全ての端子収容室１２１（第１端子収容室１２１Ａ、第２端子収容室１２１Ｂ）に連通させる。また、この切欠き１４２は、それぞれの切欠き１３４に収容されている端子係止体１５２を収容させる。この切欠き１４２は、第１ハウジング１３０に対する第２ハウジング１４０の後述する仮組付け位置と後述する組付け完了位置との間で、端子係止体１５２を第１ハウジング１３０に対して第２ハウジング１４０と共にコネクタ挿抜方向に相対移動させつつ、この端子係止体１５２を第１ハウジング１３０と第２ハウジング１４０とに対して第１から第３の端子収容体１３１，１３２，１４１の配列方向に相対移動させるものとして形成される。
【００６４】
第１ハウジング１３０と第２ハウジング１４０は、実施形態の第１ハウジング３０及び第２ハウジング４０と同じように、互いの仮組付け位置と組付け完了位置との間でコネクタ挿抜方向に沿って互いに相対移動させ得るものとして形成する。その仮組付け位置と組付け完了位置は、実施形態で示したものと同じである。ここでは、仮組付け位置から組付け完了位置へと相対移動させる際に、第１ハウジング１３０に対して第２ハウジング１４０をコネクタ挿入方向に相対移動させ、組付け完了位置から仮組付け位置へと相対移動させる際に、第１ハウジング１３０に対して第２ハウジング１４０をコネクタ抜去方向に相対移動させる。
【００６５】
第１ハウジング１３０と第２ハウジング１４０との間には、その仮組付け位置と組付け完了位置との間での相対移動を案内させるガイド機構１２２を設ける（図２７、図２８、図３０、図３２、図３４、図３６から図３８、図４２、図４３及び図５１から図５４）。そのガイド機構１２２は、第１ハウジング１３０に設けた第１ガイド部１２２ａ（図５１、図５２及び図５４）と、第２ハウジング１４０に設けた第２ガイド部１２２ｂ（図２７、図２８、図３０、図３２、図３４、図３６から図３８、図４２、図４３及び図５１から図５４）と、を備え、この第１ガイド部１２２ａと第２ガイド部１２２ｂとをコネクタ挿抜方向で互いに案内させる。この例示のガイド機構１２２は、第１端子収容体１３１と第３端子収容体１４１との間及び第２端子収容体１３２と第３端子収容体１４１との間に各々設ける。第１端子収容体１３１と第２端子収容体１３２のそれぞれの第１ガイド部１２２ａは、空間部１３３に連通させ、かつ、コネクタ挿抜方向に延在させたガイド溝部として形成されている。一方、第３端子収容体１４１のそれぞれの第２ガイド部１２２ｂは、第１ガイド部１２２ａに挿入させるべく突出させ、かつ、コネクタ挿抜方向に延在させた片体状のガイド突起部として形成されている。
【００６６】
ところで、本変形例のコネクタ１０１は、実施形態のコネクタ１と同じように、第１ハウジング１３０と第２ハウジング１４０とに対して相対移動自在に組み付けられる別部品であり、非係止位置と係止位置との間での第１ハウジング１３０と第２ハウジング１４０とに対する相対移動が可能な端子係止部品１５０を備える（図２７から図５４）。その端子係止部品１５０は、第１ハウジング１３０と第２ハウジング１４０の端子収容室１２１における収容完了位置の端子金具１０を係止し、そのそれぞれの端子金具１０の第１ハウジング１３０と第２ハウジング１４０とに対する相対移動を抑止させることによって、それぞれの端子金具１０を端子収容室１２１の収容完了位置で保持させる所謂リテーナである。その非係止位置と係止位置は、実施形態で示したものと同じである。
【００６７】
端子係止部品１５０は、係止位置のときに、第１から第３の端子収容体１３１，１３２，１４１のそれぞれの端子収容室１２１における収容完了位置の端子金具１０の端子収容口１２１ａ側に各々配置され、第１から第３の端子収容体１３１，１３２，１４１に対する端子金具１０の端子収容口１２１ａ側への相対移動を係止させる端子係止部１５１を有する（図４８から図５０、図５１、図５３及び図５４）。その端子係止部１５１には、端子金具１０の被係止部１３を係止させる。端子係止部品１５０には、第１から第３の端子収容体１３１，１３２，１４１のそれぞれの端子収容室１２１毎の端子係止部１５１を有する端子係止体１５２が設けられている（図２７から図５４）。第１から第３の端子収容体１３１，１３２，１４１のそれぞれの端子収容室１２１においては、端子係止部品１５０が非係止位置のときに、室内に端子係止部１５１を入り込ませないので、端子金具１０を端子収容口１２１ａから室内の収容完了位置まで挿入させることができ、かつ、その収容完了位置の端子金具１０を端子収容口１２１ａから引き抜くことができる。また、第１から第３の端子収容体１３１，１３２，１４１のそれぞれの端子収容室１２１においては、端子係止部品１５０が係止位置のときに、室内に端子係止部１５１を入り込ませ、この端子係止部１５１を被係止部１３の端子収容口１２１ａ側に対向配置させるので、収容完了位置の端子金具１０を端子収容口１２１ａから引き抜くことができない。
【００６８】
具体的に、本変形例の端子係止部品１５０は、第１ハウジング１３０に対して第２ハウジング１４０が仮組付け位置のときに、第１ハウジング１３０と第２ハウジング１４０とに対する相対的な位置が非係止位置になっている。そして、この端子係止部品１５０は、第１ハウジング１３０に対して第２ハウジング１４０を仮組付け位置から組付け完了位置に向けて相対移動させることによって、遅くとも組付け完了位置となったときに、第１ハウジング１３０と第２ハウジング１４０とに対する相対的な位置が係止位置になる。一方、この端子係止部品１５０は、第１ハウジング１３０に対して第２ハウジング１４０を組付け完了位置から仮組付け位置に向けて相対移動させることによって、遅くとも仮組付け位置となったときに、第１ハウジング１３０と第２ハウジング１４０とに対する相対的な位置が非係止位置になる。
【００６９】
また、本変形例の端子係止部品１５０は、第１ハウジング１３０に対して第２ハウジング１４０を仮組付け位置と組付け完了位置との間で相対移動させることによって、その第２ハウジング１４０に押動されながら、第１ハウジング１３０に対して第２ハウジング１４０と共にコネクタ挿抜方向に相対移動させつつ、第１ハウジング１３０と第２ハウジング１４０とに対して第１から第３の端子収容体１３１，１３２，１４１の配列方向に相対移動させる。この例示の端子係止部品１５０は、第１ハウジング１３０に対して第２ハウジング１４０を仮組付け位置から組付け完了位置に向けて相対移動させることによって、その第２ハウジング１４０に押動されながら、第１ハウジング１３０に対して第２ハウジング１４０と共にコネクタ挿入方向に相対移動させつつ、第１ハウジング１３０と第２ハウジング１４０とに対して第２端子収容体１３２側から第１端子収容体１３１側に相対移動させる。一方、この例示の端子係止部品１５０は、第１ハウジング１３０に対して第２ハウジング１４０を組付け完了位置から仮組付け位置に向けて相対移動させることによって、その第２ハウジング１４０に押動されながら、第１ハウジング１３０に対して第２ハウジング１４０と共にコネクタ抜去方向に相対移動させつつ、第１ハウジング１３０と第２ハウジング１４０とに対して第１端子収容体１３１側から第２端子収容体１３２側に相対移動させる。
【００７０】
第２ハウジング１４０は、第１ハウジング１３０に対する仮組付け位置と組付け完了位置との間の相対移動に連動して端子係止部品１５０を押し動かす押動部１４４を有する（図３２から図３４、図３８から図４０、図４４及び図５１から図５４）。その押動部１４４は、第１ハウジング１３０に対する第２ハウジング１４０の仮組付け位置と組付け完了位置との間の相対移動に連動して、端子係止部品１５０をコネクタ挿抜方向に沿って押し動かすものとして形成する。その押動部１４４としては、端子係止部品１５０を非係止位置側から係止位置側へと押し動かす第１押動部１４４ａと、端子係止部品１５０を係止位置側から非係止位置側へと押し動かす第２押動部１４４ｂと、が設けられている。
【００７１】
このコネクタ１０１においては、実施形態のコネクタ１と同じように、端子係止部品１５０を押し動かすために、第２ハウジング１４０の切欠き１４２と端子係止部品１５０の端子係止体１５２とを利用する。よって、第２ハウジング１４０においては、その切欠き１４２を成すコネクタ挿抜方向における双方の壁部を各々第１押動部１４４ａ及び第２押動部１４４ｂとして利用し、その第１押動部１４４ａと第２押動部１４４ｂとで端子係止体１５２を挟持させる。
【００７２】
そして、第１ハウジング１３０と端子係止部品１５０との間には、その押動部１４４から端子係止部品１５０が受けたコネクタ挿抜方向の力を当該コネクタ挿抜方向の力と第１から第３の端子収容体１３１，１３２，１４１の配列方向の力とに分割する動力分割機構１２３を設けている（図３０、図３２、図３４、図３６、図４０、図４２、図４４、図５０及び図５５）。端子係止部品１５０は、その分割されたコネクタ挿抜方向の力と第１から第３の端子収容体１３１，１３２，１４１の配列方向の力とによって、非係止位置と係止位置との間で第１ハウジング１３０と第２ハウジング１４０とに対して相対移動させる。
【００７３】
動力分割機構１２３は、第１ハウジング１３０に設けた第１傾斜面１２３ａ（図３０、図３６、図４２、図４４、図５０、図５５及び図５６）と、端子係止部品１５０に設け、第１傾斜面１２３ａに対向配置させた第２傾斜面１２３ｂ（図３２、図４４、図５０、図５５及び図５７）と、を備える。その第１傾斜面１２３ａと第２傾斜面１２３ｂは、コネクタ挿抜方向と第１から第３の端子収容体１３１，１３２，１４１の配列方向とに対して傾斜させた傾斜面であり、非係止位置と係止位置との間での第１ハウジング１３０と第２ハウジング１４０とに対する端子係止部品１５０の相対移動方向に合わせて傾斜させる。この例示では、この動力分割機構１２３を２箇所に設けている（図３０、図３４、図３６、図４０、図４２、図４４及び図５０）。
【００７４】
この動力分割機構１２３においては、端子係止部品１５０が押動部１４４からコネクタ挿抜方向の力を受けた際に、第１傾斜面１２３ａと第２傾斜面１２３ｂとが当接する。そして、この動力分割機構１２３においては、その第１傾斜面１２３ａと第２傾斜面１２３ｂによって、そのコネクタ挿抜方向の力を当該コネクタ挿抜方向の力と第１から第３の端子収容体１３１，１３２，１４１の配列方向の力とに分割させる。端子係止部品１５０は、第１傾斜面１２３ａに沿って案内されながら、非係止位置と係止位置との間で第１ハウジング１３０と第２ハウジング１４０とに対して相対移動していく。尚、この例示では、その端子係止部品１５０を非係止位置と係止位置へと相対移動させる際に、動力分割機構１２３による端子係止部品１５０のコネクタ挿抜方向（第１から第３の端子収容体１３１，１３２，１４１の配列方向）に対する斜め方向の相対移動を終えた後、押動部１４４から受けているコネクタ挿入方向の力によって端子係止部品１５０が第１ハウジング１３０に対して第２ハウジング１４０と共にコネクタ挿入方向に相対移動する。
【００７５】
また、第２ハウジング１４０と端子係止部品１５０との間には、第２ハウジング１４０に対する端子係止部品１５０の第１から第３の端子収容体１３１，１３２，１４１の配列方向への相対移動を案内するガイド機構１２４を設けている（図２７から図３０、図３２、図３３、図３５から図３９、図４１から図４３、図４５から図４７及び図５１から図５４）。そのガイド機構１２４は、第２ハウジング１４０に設けた第１ガイド部１２４ａ（図２７から図２９、図３２、図３３、図３５、図３７から図３９、図４１、図４３、図４５、図４７及び図５１から図５４）と、端子係止部品１５０に設けた第２ガイド部１２４ｂ（図２７から図３０、図３２、図３３、図３５から図３９、図４１から図４３、図４５から図４７及び図５１から図５４）と、を備え、この第１ガイド部１２４ａと第２ガイド部１２４ｂとを第１から第３の端子収容体１３１，１３２，１４１の配列方向で互いに案内させる。このガイド機構１２４においては、第１ガイド部１２４ａと第２ガイド部１２４ｂの内の一方が第１から第３の端子収容体１３１，１３２，１４１の配列方向に延在させた片体状のガイド突起部として形成され、その内の他方が第１から第３の端子収容体１３１，１３２，１４１の配列方向に延在させ且つ第１ガイド部１２４ａを挿入させるガイド溝部として形成される。この例示では、第１ガイド部１２４ａをガイド突起部として形成し、第２ガイド部１２４ｂをガイド溝部として形成している。この例示では、このガイド機構１２４をコネクタ挿抜方向で２箇所に設けている（図３０、図３３、図３６、図４２及び図５１から図５４）。
【００７６】
以上示したように、本変形例のコネクタ１０１及びコネクタ付き電線１０２においては、第１ハウジング１３０と第２ハウジング１４０とを仮組付け位置と組付け完了位置との間で互いに相対移動させることができる。例えば、このコネクタ１０１及びコネクタ付き電線１０２においては、第１ハウジング１３０と第２ハウジング１４０とを仮組付け位置に組み付けた後、その仮組付け位置の第１ハウジング１３０と第２ハウジング１４０に対して端子係止部品１５０を組み付ける。このコネクタ１０１及びコネクタ付き電線１０２においては、実施形態のコネクタ１及びコネクタ付き電線２と同じように、最初に、その第１ハウジング１３０における第１端子収容体１３１と第２端子収容体１３２のそれぞれの端子収容室１２１に接続状態の端子金具１０及び電線Ｗｅの端末を収容させることが望ましい。このコネクタ１０１及びコネクタ付き電線１０２においては、第１端子収容体１３１と第２端子収容体１３２のそれぞれの端子収容室１２１の端子収容口１２１ａから電線Ｗｅが引き出されている（図２９から図３４）。しかしながら、このコネクタ１０１及びコネクタ付き電線１０２においては、第１ハウジング１３０と第２ハウジング１４０とが仮組付け位置のときに、第１端子収容体１３１と第２端子収容体１３２のそれぞれの端子収容室１２１の端子収容口１２１ａに対して、第２ハウジング１４０の第３端子収容体１４１の端子収容口１２１ａが突出している。よって、このコネクタ１０１及びコネクタ付き電線１０２においては、第１端子収容体１３１と第２端子収容体１３２から引き出されている電線Ｗｅに邪魔されることなく、第３端子収容体１４１のそれぞれの端子収容室１２１に対して、端子収容口１２１ａから接続状態の端子金具１０及び電線Ｗｅの端末を挿入していくことができる（図３５から図４０）。従って、このコネクタ１０１及びコネクタ付き電線１０２は、実施形態のコネクタ１及びコネクタ付き電線２と同じように、第１から第３の端子収容体１３１，１３２，１４１のそれぞれの端子収容室１２１を密集させたとしても、端子金具１０及び電線Ｗｅの端末の挿入作業性に優れたものとなっている。その挿入作業を行うに際しては、実施形態のコネクタ１及びコネクタ付き電線２と同じように、第１端子収容体１３１と第２端子収容体１３２から引き出されている電線Ｗｅを第３端子収容体１４１のそれぞれの端子収容口１２１ａから引き離すように屈曲させることによって、第３端子収容体１４１のそれぞれの端子収容室１２１に対する端子金具１０及び電線Ｗｅの端末の挿入作業性を高めることが望ましい。このように、このコネクタ１０１及びコネクタ付き電線１０２は、コネクタの小型化を図りつつ、組付け作業性を向上させることができる。
【００７７】
このコネクタ１０１及びコネクタ付き電線１０２においては、第３端子収容体１４１の端子収容室１２１への端子金具１０及び電線Ｗｅの端末の収容作業を終えた後（図３５から図４０）、第１ハウジング１３０に対して第２ハウジング１４０を仮組付け位置から組付け完了位置まで相対移動させる（図４１から図５０）。このコネクタ１０１及びコネクタ付き電線１０２においては、その第２ハウジング１４０の相対移動に連動して、この第２ハウジング１４０の押動部１４４（第１押動部１４４ａ）が端子係止部品１５０に対してコネクタ挿入方向の押動力を作用させる。その際、端子係止部品１５０は、動力分割機構１２３とガイド機構１２４によって、第１ハウジング１３０と第２ハウジング１４０に対してコネクタ挿抜方向（第１から第３の端子収容体１３１，１３２，１４１の配列方向）に対する斜め方向に相対移動し、最終的に非係止位置から係止位置に変位する。このように、本変形例のコネクタ１０１及びコネクタ付き電線１０２においては、第１ハウジング１３０と第２ハウジング１４０とが組付け完了位置になると、端子係止部品１５０が係止位置になっているので、実施形態のコネクタ１及びコネクタ付き電線２のように、第１ハウジング３０と第２ハウジング４０とが組付け完了位置になった後で、非係止位置の端子係止部品５０を係止位置まで移動させる必要が無い。従って、このコネクタ１０１及びコネクタ付き電線１０２は、この点からも、組付け作業性に優れたものとなっている。
【符号の説明】
【００７８】
１，１０１  コネクタ
２，１０２  コネクタ付き電線
１０  端子金具
２０，１２０  ハウジング
２１，１２１  端子収容室
２１Ａ，１２１Ａ  第１端子収容室
２１Ｂ，１２１Ｂ  第２端子収容室
２１ａ，１２１ａ  端子収容口
２２，１２２  ガイド機構
２３  係止機構
３０，１３０  第１ハウジング
３１，１３１  第１端子収容体
３２，１３２  第２端子収容体
３３，１３３  空間部
４０，１４０  第２ハウジング
４１，１４１  第３端子収容体
４３  係止突起部
４４，１４４  押動部
５０，１５０  端子係止部品
５１，１５１  端子係止部
１２３  動力分割機構
Ｗｅ  電線
【図１】
2020202032.tif 000003
【図２】
2020202032.tif 000004
【図３】
2020202032.tif 000005
【図４】
2020202032.tif 000006
【図５】
2020202032.tif 000007
【図６】
2020202032.tif 000008
【図７】
2020202032.tif 000009
【図８】
2020202032.tif 000010
【図９】
2020202032.tif 000011
【図１０】
2020202032.tif 000012
【図１１】
2020202032.tif 000013
【図１２】
2020202032.tif 000014
【図１３】
2020202032.tif 000015
【図１４】
2020202032.tif 000016
【図１５】
2020202032.tif 000017
【図１６】
2020202032.tif 000018
【図１７】
2020202032.tif 000019
【図１８】
2020202032.tif 000020
【図１９】
2020202032.tif 000021
【図２０】
2020202032.tif 000022
【図２１】
2020202032.tif 000023
【図２２】
2020202032.tif 000024
【図２３】
2020202032.tif 000025
【図２４】
2020202032.tif 000026
【図２５】
2020202032.tif 000027
【図２６】
2020202032.tif 000028
【図２７】
2020202032.tif 000029
【図２８】
2020202032.tif 000030
【図２９】
2020202032.tif 000031
【図３０】
2020202032.tif 000032
【図３１】
2020202032.tif 000033
【図３２】
2020202032.tif 000034
【図３３】
2020202032.tif 000035
【図３４】
2020202032.tif 000036
【図３５】
2020202032.tif 000037
【図３６】
2020202032.tif 000038
【図３７】
2020202032.tif 000039
【図３８】
2020202032.tif 000040
【図３９】
2020202032.tif 000041
【図４０】
2020202032.tif 000042
【図４１】
2020202032.tif 000043
【図４２】
2020202032.tif 000044
【図４３】
2020202032.tif 000045
【図４４】
2020202032.tif 000046
【図４５】
2020202032.tif 000047
【図４６】
2020202032.tif 000048
【図４７】
2020202032.tif 000049
【図４８】
2020202032.tif 000050
【図４９】
2020202032.tif 000051
【図５０】
2020202032.tif 000052
【図５１】
2020202032.tif 000053
【図５２】
2020202032.tif 000054
【図５３】
2020202032.tif 000055
【図５４】
2020202032.tif 000056
【図５５】
2020202032.tif 000057
【図５６】
2020202032.tif 000058
【図５７】
2020202032.tif 000059